(57)【特許請求の範囲】
【請求項１】
第１コンテンツとともに第２コンテンツを提供する施設で前記第２コンテンツが提供される枠に関する権利の販売に関する販売情報を取得する取得部と、
前記取得部によって取得された前記販売情報と、前記施設における動員数の予測値である予測動員数と、に基づいて、購入者が決定されていない枠に関する権利の新たな販売価格に関する情報を算出する算出部と、を備え、
前記算出部は、更に、
前記第１コンテンツに対するネットワーク上の評判を示す指標値に基づいて前記予測動員数を予測する、
ことを特徴とする算出装置。
【請求項２】
前記取得部によって取得された前記枠に関する情報を提示し、前記枠に関する権利の販売サービスを提供する提供部
をさらに備えたことを特徴とする請求項１に記載の算出装置。
【請求項３】
前記提供部は、
前記算出部によって算出された新たな販売価格を提示し、前記枠に関する権利の販売サービスを提供する、
ことを特徴とする請求項２に記載の算出装置。
【請求項４】
前記算出部は、
前記枠に関する権利の新たな販売価格として、前記枠に関する権利の最低販売価格を算出し、
前記提供部は、
前記算出部の算出する前記最低販売価格を提示して前記枠に関する権利の販売サービスを提供する、
ことを特徴とする請求項２又は３に記載の算出装置。
【請求項５】
前記算出部は、
購入者が決定している前記枠に関する権利の販売価格に基づいて、前記枠に関する権利の最低販売価格を算出する、
ことを特徴とする請求項４に記載の算出装置。
【請求項６】
前記算出部は、
前記枠に関する権利の新たな販売価格として、前記施設における所定の動員数毎に定められる単価である動員単価を算出し、
前記提供部は、
前記算出部によって算出された動員単価を提示し、前記枠に関する権利の販売サービスを提供する、
ことを特徴とする請求項２又は３に記載の算出装置。
【請求項７】
前記提供部は、
前記枠に関する情報として、当該枠に係る前記施設が所在する地域、前記施設で前記第１コンテンツが提供される日程、前記施設に収容可能な収容数、前記施設において予測される動員数、前記施設において提供される第１コンテンツの傾向又はジャンル、前記施設を運営する運営会社、及び、前記施設において前記第１コンテンツを同時に提供可能な数の少なくとも１つを提示する、
ことを特徴とする請求項２〜６のいずれか一つに記載の算出装置。
【請求項８】
前記枠に関する権利の販売サービスにおいて、前記枠に関する権利の購入希望者から前記枠に関する権利の購入要求を受け付ける受付部と、
前記受付部によって受け付けられた購入要求のうち、所定の条件を満たす購入要求を行った購入希望者を前記枠に関する権利の購入者として決定する決定部と、
をさらに備えることを特徴とする請求項２〜７のいずれか一つに記載の算出装置。
【請求項９】
前記受付部は、
前記算出部によって算出された新たな販売価格以上の価格を含む前記購入要求を受け付け、
前記決定部は、
前記購入希望者のうち最も高い価格を含む購入要求の送信元である購入希望者を前記枠に関する権利の購入者として決定する、
ことを特徴とする請求項８に記載の算出装置。
【請求項１０】
前記算出部は、
前記枠に関する権利の販売期間に応じて前記枠に関する権利の新たな販売価格を算出する、
ことを特徴とする請求項１〜９のいずれか一つに記載の算出装置。
【請求項１１】
コンピュータが実行する算出方法であって、
第１コンテンツとともに第２コンテンツを提供する施設で前記第２コンテンツが提供される枠に関する権利の販売に関する販売情報を取得する取得工程と、
前記取得工程によって取得された前記販売情報と、前記施設における動員数の予測値である予測動員数と、に基づいて、購入者が決定されていない枠に関する権利の新たな販売価格に関する情報を算出する算出工程と、を含み、
前記算出工程は、更に、
前記第１コンテンツに対するネットワーク上の評判を示す指標値に基づいて前記予測動員数を予測する、
ことを特徴とする算出方法。
【請求項１２】
第１コンテンツとともに第２コンテンツを提供する施設で前記第２コンテンツが提供される枠に関する権利の販売に関する販売情報を取得する取得手順と、
前記取得手順によって取得された前記販売情報と、前記施設における動員数の予測値である予測動員数と、に基づいて、購入者が決定されていない枠に関する権利の新たな販売価格に関する情報を算出する算出手順と、をコンピュータに実行させ、
前記算出手順は、更に、
前記第１コンテンツに対するネットワーク上の評判を示す指標値に基づいて前記予測動員数を予測する、
ことを特徴とする算出プログラム。
【請求項１３】
第１コンテンツとともに第２コンテンツを提供する施設で前記第２コンテンツが提供される枠に関する権利の販売に関する販売情報を取得する取得部と、
前記取得部によって取得された前記販売情報に基づいて、購入者が決定されていない枠に関する権利の新たな販売価格に関する情報を算出する算出部と、
前記取得部によって取得された前記枠に関する情報を提示し、前記枠に関する権利の販売サービスを提供する提供部と、
前記提供部によって提供された販売サービスにおいて、前記第２コンテンツが提供される枠に関する権利を前記算出部によって算出された新たな販売価格で購入した購入者に対して、当該新たな販売価格と、前記施設において実際に当該第２コンテンツを視聴した人数と、に基づいて、当該施設における当該第２コンテンツの提供への対価の額を通知する通知部と、
を備えたことを特徴とする算出装置。
【請求項１４】
コンピュータが実行する算出方法であって、
第１コンテンツとともに第２コンテンツを提供する施設で前記第２コンテンツが提供される枠に関する権利の販売に関する販売情報を取得する取得工程と、
前記取得工程によって取得された前記販売情報に基づいて、購入者が決定されていない枠に関する権利の新たな販売価格に関する情報を算出する算出工程と、
前記取得工程によって取得された前記枠に関する情報を提示し、前記枠に関する権利の販売サービスを提供する提供工程と、
前記提供工程によって提供された販売サービスにおいて、前記第２コンテンツが提供される枠に関する権利を前記算出工程によって算出された新たな販売価格で購入した購入者に対して、当該新たな販売価格と、前記施設において実際に当該第２コンテンツを視聴した人数と、に基づいて、当該施設における当該第２コンテンツの提供への対価の額を通知する通知工程と、
を含んだことを特徴とする算出方法。
【請求項１５】
第１コンテンツとともに第２コンテンツを提供する施設で前記第２コンテンツが提供される枠に関する権利の販売に関する販売情報を取得する取得手順と、
前記取得手順によって取得された前記販売情報に基づいて、購入者が決定されていない枠に関する権利の新たな販売価格に関する情報を算出する算出手順と、
前記取得手順によって取得された前記枠に関する情報を提示し、前記枠に関する権利の販売サービスを提供する提供手順と、
前記提供手順によって提供された販売サービスにおいて、前記第２コンテンツが提供される枠に関する権利を前記算出手順によって算出された新たな販売価格で購入した購入者に対して、当該新たな販売価格と、前記施設において実際に当該第２コンテンツを視聴した人数と、に基づいて、当該施設における当該第２コンテンツの提供への対価の額を通知する通知手順と、
をコンピュータに実行させることを特徴とする算出プログラム。
【発明の詳細な説明】
【技術分野】
【０００１】
本発明は、算出装置、算出方法及び算出プログラムに関する。
【背景技術】
【０００２】
現在、施設で提供されるコンテンツには、そのコンテンツの本編前に組み込まれる広告が上映される広告枠が設けられていることがある。例えば、映画館においては、上映される映画の本編前に数分間の広告枠が設定される。
【０００３】
このような広告配信に関する技術として、上映場所の視聴者に対して動画及びプロモーション用コンテンツをスケジューリングする技術が知られている。具体的には、この技術では、プロモーション用コンテンツを提示するタイムスロットに広告プロバイダから入札を求め、受信した入札に応じて広告プロバイダからの広告をタイムスロットに関連付け、その広告プロバイダから電子的に広告を取得する。また、上映者は、最も高い入札者に対して利用可能な広告又はプロモーション時間を競売することができる。
【先行技術文献】
【特許文献】
【０００４】
【特許文献１】特表２００７−５０５３９３号公報
【発明の概要】
【発明が解決しようとする課題】
【０００５】
しかしながら、上記の従来技術では、広告配信に関する対価を適切に算出することができるとは限らない。具体的には、上記の従来技術では、タイムスロットに対して定価又は最低価格を設けて、広告プロバイダ側からオークション方式で入札を受け付ける。しかし、上記の従来技術では、タイムスロットに定価又は最低価格を設定するのみであり、適切な料金が算出されるか定かでない。このため、配給側は、適切な広告収益を得ることができるとは言い難い。
【０００６】
本願は、上記に鑑みてなされたものであって、広告配信に関する対価を適切に算出することができる算出装置、算出方法及び算出プログラムを提供することを目的とする。
【課題を解決するための手段】
【０００７】
本願に係る算出装置は、第１コンテンツとともに第２コンテンツを提供する施設で前記第２コンテンツが提供される枠に関する権利の販売に関する販売情報を取得する取得部と、前記取得部によって取得された前記販売情報に基づいて、購入者が決定されていない枠に関する権利の新たな販売価格に関する情報を算出する算出部と、を備えたことを特徴とする。
【発明の効果】
【０００８】
実施形態の一態様によれば、広告配信に関する対価を適切に算出することができる算出装置、算出方法及び算出プログラムを提供することができるという効果を奏する。
【図面の簡単な説明】
【０００９】
【図１】図１は、実施形態に係る算出処理の一例を示す図である。
【図２】図２は、実施形態に係る算出処理システムの構成例を示す図である。
【図３】図３は、実施形態に係る広告装置の構成例を示す図である。
【図４】図４は、実施形態に係る広告枠テーブルの一例を示す図である。
【図５】図５は、実施形態に係る本編テーブルの一例を示す図である。
【図６】図６は、実施形態に係る広告主情報記憶部の一例を示す図である。
【図７】図７は、実施形態に係る広告装置による算出処理の手順を示すフローチャートである。
【図８】図８は、変形例に係る算出処理の一例を示す図である。
【図９】図９は、変形例に係る算出処理システムの構成例を示す図である。
【図１０】図１０は、変形例に係る算出処理システムの構成例を示す図である。
【図１１】図１１は、広告装置の機能を実現するコンピュータの一例を示すハードウェア構成図である。
【発明を実施するための形態】
【００１０】
以下に、本願に係る算出装置、算出方法及び算出プログラムを実施するための形態（以下、「実施形態」と呼ぶ）について図面を参照しつつ詳細に説明する。なお、この実施形態により本願に係る算出装置、算出方法及び算出プログラムが限定されるものではない。また、以下の各実施形態において同一の部位には同一の符号を付し、重複する説明は省略される。
【００１１】
〔１．算出処理〕
まず、図１を用いて、実施形態に係る算出処理の一例について説明する。図１は、実施形態に係る算出処理の一例を示す図である。図１では、本願に係る算出装置に対応する広告装置１００によって、第１コンテンツとともに第２コンテンツを提供する施設で前記第２コンテンツが提供される枠であって、購入者が決定されていない枠に関する権利の新たな販売価格に関する情報を算出する算出処理が行われる例を示す。なお、以下では、施設として映画館を例に挙げ、施設で提供される第１コンテンツとして映画を例に挙げ、第１コンテンツとともに提供される第２コンテンツとして広告コンテンツを例に挙げて説明する。
【００１２】
図１に示す例において、広告装置１００は、枠に関する権利の新たな販売価格に関する情報を算出するサーバ装置である。また、図１に示すように、映画館には、映画館装置２０が備えられる。映画館装置２０は、映画館における映画の編成に係る情報等を保持する情報処理装置であり、映画館の管理者によって操作される。
【００１３】
映画館で上映される映画には、本編の前に広告コンテンツが上映されるための数分間の時間が設けられる。図１の例では、広告コンテンツが上映されるために設けられる数分間の時間は、所定の時間毎に分割される。そして、分割された時間毎に、広告コンテンツの提供のための枠が設けられる。例えば、かかる枠は、３０秒単位を１枠として設けられる。以下、このような広告コンテンツの提供のための枠を「広告枠」と表記する。図１に示す例では、「２０１４年５月１０日９：００」から上映される映画であって、本編タイトル「Ｍ１」の映画には、広告枠Ｃ１１１、Ｃ１１２、Ｃ１１３、Ｃ１１４及びＣ１１５が設けられていることを示す。映画館側は、広告枠で広告コンテンツを提供させる権利を広告主に販売することによって広告収益を得る。なお、以下では、「広告枠」といった表記は、かかる広告枠で広告コンテンツを提供させるための権利についての概念を含む場合がある。例えば、所定の広告枠で広告コンテンツを提供させるための権利を広告主に販売することを、「広告枠を販売する」と表記することがある。
【００１４】
以下に、広告装置１００が行う算出処理について、図１を用いて説明する。まず、広告装置１００は、映画館装置２０が送信する映画館における広告枠の販売状況に関する情報を受信する（ステップＳ１０）。例えば、映画館装置２０は、所定の時点で購入者が決定されていない広告枠がある場合に、広告装置１００に広告配信に関するリクエストを送信する。広告配信に関するリクエストとは、例えば、購入者が決定されていない広告枠について新たな販売価格を算出して購入者を募ることを映画館側が所望する旨を意味する。かかるリクエストを受けて、広告装置１００は、広告枠の販売に関する販売情報を取得する。例えば、広告装置１００は、販売情報として、広告枠Ｃ１１１の購入者が決定されていない旨の情報を取得する。
【００１５】
なお、広告装置１００は、広告枠の販売情報を取得する際には、広告枠に関する情報として、映画館が所在する地域や、映画館の観客収容数や、映画館が備えるスクリーン数や、スクリーン毎の座席数など、施設としての映画館の情報についても適宜取得する。同様に、広告装置１００は、広告枠が設けられる映画に関する情報として、例えば、映画の制作者や、映画の出演者や、映画が制作された国名などに関する情報についても適宜取得する。また、図１では図示を省略したが、広告装置１００は、一つの映画館に限られず、複数の映画館から広告枠の販売情報を取得することができる。
【００１６】
また、広告装置１００は、広告枠の販売情報として、広告枠Ｃ１１２〜１１５が既に販売済みである旨の情報や、広告枠Ｃ１１２〜１１５が販売された販売価格に関する情報を取得する。図１の例では、広告枠Ｃ１１２〜１１５は、広告枠において広告コンテンツを視聴する観客一人あたりの単価である動員単価「２００円」という販売価格で販売されたものとする。
【００１７】
そして、広告装置１００は、購入者が決定されていない広告枠（以下、「売れ残り広告枠」と表記する）Ｃ１１１に関する権利の新たな販売価格に関する情報を算出する（ステップＳ１１）。ここで、広告枠に関する権利とは、広告枠で広告コンテンツを提供させるための権利をいう。また、図１の例では、広告枠に関する権利の新たな販売価格に関する情報とは、かかる権利の新たな販売価格を意味する。すなわち、広告装置１００は、売れ残り広告枠Ｃ１１１で広告コンテンツを提供させるための権利を広告主に販売するために、売れ残り広告枠Ｃ１１１の新たな販売価格を算出する。
【００１８】
例えば、広告装置１００は、購入者が決定している広告枠に関する権利の販売価格に基づいて、広告枠に関する権利の販売価格を算出する。図１の例では、広告装置１００は、広告枠の販売状況に関する情報として、広告枠Ｃ１１２〜１１５が既に動員単価「２００円」という販売価格で販売済みである旨の情報を取得する。この場合、広告装置１００は、取得した広告枠Ｃ１１２〜１１５の販売価格「２００円」に基づいて、売れ残り広告枠Ｃ１１１の販売価格を算出する。例えば、広告装置１００は、購入者が決定している広告枠Ｃ１１２〜Ｃ１１５の販売価格「２００円」の所定の割合で表される金額を売れ残り広告枠Ｃ１１１の販売価格として算出する。一例として、広告装置１００は、「２００円」の５割の金額である「１００円」を売れ残り広告枠Ｃ１１１の新たな販売価格として算出する。
【００１９】
そして、広告装置１００は、売れ残り広告枠Ｃ１１１で広告コンテンツを提供させる権利の新たな販売価格を提示して、かかる権利の販売サービスを広告主に提供する（ステップＳ１２）。例えば、広告装置１００は、広告主が操作する広告主端末１０に対して、かかる権利の販売サービスを提供するためのウェブページＷ１０を送信する。かかる販売サービスでは、入札方式が採用される。すなわち、広告装置１００は、算出した新たな販売価格を最低入札価格として、広告主に提示する。そして、広告装置１００は、ウェブページＷ１０を介して、広告主端末１０からかかる権利の最低入札価格以上の入札額の提示を受け付ける（ステップＳ１３）。図１に示す例では、広告主は、入札額として「１２０円」を提示する。
【００２０】
そして、広告装置１００は、かかる権利の販売サービスにおいて、入札額を提示して入札を行った広告主の中から落札者を決定する。例えば、広告装置１００は、最も高い金額を提示して入札を行った広告主を落札者として決定する。そして、広告装置１００は、落札者に、かかる権利の落札を通知する（ステップＳ１４）。
【００２１】
そして、広告装置１００は、売れ残り広告枠Ｃ１１１に関する権利を落札した広告主に係る広告コンテンツを映画館に配信する（ステップＳ１５）。そして、広告枠Ｃ１１１において、売れ残り広告枠Ｃ１１１に関する権利を落札した広告主が入稿した広告コンテンツが観客に提供される。そして、映画館装置２０は、実際に広告枠Ｃ１１１において広告コンテンツを視聴した人数である動員数を広告装置１００に通知する（ステップＳ１６）。
【００２２】
そして、広告装置１００は、売れ残り広告枠Ｃ１１１に係る落札価格「１２０円」と、実際の動員数とを乗算することにより、売れ残り広告枠Ｃ１１１を落札した広告主に課金額を通知する（ステップＳ１７）。
【００２３】
このように、実施形態に係る広告装置１００は、映画館における広告枠に関する権利の販売に関する販売情報を取得する。そして、実施形態に係る広告装置１００は、取得した販売情報に基づいて、購入者が決定されていない広告枠に関する権利の新たな販売価格に関する情報を算出する。
【００２４】
これにより、実施形態に係る広告装置１００は、映画館側が得るべき広告配信に関する対価を適切に算出することができる。この結果、実施形態に係る広告装置１００は、広告枠の販売による適切な広告収益を映画館側にもたらすことができる。また、実施形態に係る広告装置１００によれば、映画館側は、個々の広告枠毎に価格を設定するような手間を要さずに、映画館で広告コンテンツを提供させる権利を広告主に販売させることができる。したがって、実施形態に係る広告装置１００によれば、映画館側は、広告枠を効率よく販売することができる。
【００２５】
また、実施形態に係る広告装置１００は、一つの映画館に限られず、複数の映画館から広告枠の販売状況に関する情報を取得することができる。このため、実施形態に係る広告装置１００によれば、広告主は、個々の映画館から広告枠に関する販売情報や、入札情報の取得を要することなく、提示された集約された情報を参照して、映画館で広告コンテンツを提供させる権利を購入することができる。すなわち、実施形態に係る広告装置１００は、広告配信に関する作業を容易化し、広告主の負担を軽減させることができるので、映画館での広告コンテンツの提供に関するインセンティブを広告主に与えることができる。このように、実施形態に係る広告装置１００は、映画館での広告コンテンツの提供を促進させるので、映画館側の広告収益を上げることができる。
【００２６】
〔２．算出処理システムの構成〕
次に、図２を用いて、実施形態に係る算出処理システム１の構成について説明する。図２は、実施形態に係る算出処理システム１の構成例を示す図である。図２に示すように、算出処理システム１には、広告主端末１０と、映画館装置２０と、広告装置１００とが含まれる。広告主端末１０、映画館装置２０、及び広告装置１００は、ネットワークＮを介して、有線又は無線により通信可能に接続される。なお、図２に示した算出処理システム１には、複数台の広告主端末１０や、複数台の映画館装置２０が含まれてもよい。
【００２７】
広告主端末１０は、映画館で広告コンテンツを提供させることを所望する広告主によって利用される情報処理装置である。具体的には、広告主端末１０は、広告主による操作に従って、広告装置１００が提供する広告枠の販売サービスを利用したり、広告コンテンツを広告装置１００に入稿したりする。
【００２８】
なお、広告主は、広告主端末１０を用いて、広告コンテンツを広告装置１００に入稿せずに、かかる入稿を代理店に依頼する場合もある。この場合、かかる入稿を広告装置１００に行うのは代理店となる。以下では、「広告主」といった表記は、広告主だけでなく代理店を含む概念であり、「広告主端末」といった表記は、広告主端末だけでなく代理店によって利用される代理店装置を含む概念であるものとする。
【００２９】
映画館装置２０は、映画館の管理者によって利用される情報処理装置である。かかる映画館装置２０は、例えば、広告枠に関する情報を広告装置１００に送信したり、広告装置１００から配信される広告コンテンツを受信したりする。また、映画館装置２０は、映画の上映に係る編成情報の管理や、広告コンテンツを映画館で提供するための処理などを行う。
【００３０】
広告主端末１０や、映画館装置２０は、例えば、デスクトップ型ＰＣ（Personal  Computer）や、ノート型ＰＣや、タブレット型端末や、携帯電話機、ＰＤＡ（Personal  Digital  Assistant）等により実現される。以下では、「広告主」といった表記は、広告主によって操作される「広告主端末１０」による処理等も含むものとする。同様に、「映画館」といった表記は、映画館の管理者によって操作される「映画館装置２０」による処理等も含むものとする。例えば、「広告主によって指定された」といった表記は、「広告主端末１０によって指定された」という概念を含みうるものとする。
【００３１】
広告装置１００は、上述のように、映画館装置２０から送信される広告枠に関する情報に基づいて、売れ残り広告枠の新たな販売価格を算出するサーバ装置である。
【００３２】
〔３．広告装置の構成〕
次に、図３を用いて、実施形態に係る広告装置１００の構成について説明する。図３は、実施形態に係る広告装置１００の構成例を示す図である。図３に示すように、広告装置１００は、通信部１１０と、映画館情報記憶部１２１と、広告主情報記憶部１２２と、制御部１３０とを有する。なお、広告装置１００は、広告装置１００を利用する管理者等から各種操作を取得する入力部（例えば、キーボードやマウス等）や、各種情報を表示するための表示部（例えば、液晶ディスプレイ等）を有してもよい。
【００３３】
〔３−１．通信部〕
通信部１１０は、例えば、ＮＩＣ（Network  Interface  Card）等によって実現される。かかる通信部１１０は、ネットワークＮと有線又は無線で接続され、ネットワークＮを介して、広告主端末１０や映画館装置２０との間で情報の送受信を行う。
【００３４】
〔３−２．記憶部〕
映画館情報記憶部１２１及び広告主情報記憶部１２２は、例えば、ＲＡＭ（Random  Access  Memory)、フラッシュメモリ（Flash  Memory）等の半導体メモリ素子、または、ハードディスク、光ディスク等の記憶装置によって実現される。
【００３５】
〔３−３．映画館情報記憶部〕
映画館情報記憶部１２１は、映画館に関する情報を記憶する。映画館情報記憶部１２１は、情報を記憶するデータテーブルとして、広告枠テーブル１２１ａと、本編テーブル１２１ｂとを有する。以下、個々のテーブルについて説明する。
【００３６】
〔３−３（１）．広告枠テーブル〕
広告枠テーブル１２１ａは、広告枠に関する情報を記憶するデータテーブルである。具体的には、広告枠テーブル１２１ａは、広告枠が設けられる映画の編成に関する情報や、映画を上映する映画館の施設としての情報や、広告枠を購入している広告主に関する情報などを記憶する。
【００３７】
ここで、図４に、実施形態に係る広告枠テーブル１２１ａの一例を示す。図４は、実施形態に係る広告枠テーブル１２１ａの一例を示す図である。図４に示した例では、広告枠テーブル１２１ａは、「広告枠ＩＤ」、「配信時間」、「広告主ＩＤ」、「映画館」、「スクリーン」、「座席数」、「本編タイトル」、「配信日程」、「予測動員数」といった項目を有する。
【００３８】
「広告枠ＩＤ」は、広告枠を識別するための識別情報を示す。なお、図４に示した広告枠ＩＤに記憶されている識別情報を広告枠の参照符号として用いる場合がある。例えば、広告枠ＩＤ「Ｃ１１１」によって識別される広告枠は、「広告枠Ｃ１１１」と表記される。また、「配信時間」は、映画館で広告コンテンツを提供させる時間長を示す。図４の例では、配信時間の単位は秒とする。
【００３９】
「広告主ＩＤ」は、広告主又は広告主端末１０を識別するための識別情報を示す。ここで、図４における広告主ＩＤは、広告枠と対応付けて記憶されている。すなわち、図４では、対応する広告枠で広告コンテンツを提供させる権利を購入した広告主を識別するための広告主ＩＤが記憶されている例を示している。また、図４に図示することは省略しているが、広告枠テーブル１２１ａには、広告主が入稿した広告コンテンツの情報が記憶されていてもよい。すなわち、広告枠テーブル１２１ａには、広告主が広告枠において提供させようとする広告コンテンツを識別する情報や、広告コンテンツの宣伝内容に関する情報が記憶されていてもよい。
【００４０】
「映画館」は、映画館の名称を示す。また、図４に図示することは省略しているが、映画館の項目には、映画館の所在地など施設としての映画館の情報なども含むものとする。
【００４１】
また、「スクリーン」は、映画館における、映画を投射できるスクリーンと観客席を備えた上映室を示す。すなわち、スクリーンは、映画館内における映画の上映場所を識別する情報を示す。
【００４２】
「座席数」は、上映場所に備えられた観客席の数であり、観客を収容することのできる数を示す。座席数はスクリーン毎に異なる場合がある。また、「本編タイトル」は、映画館で上映される映画のタイトルを示す。
【００４３】
「配信日程」は、広告枠で広告コンテンツが観客に提供される日時を示す。図４に示した例では、配信日程を広告提供の開始時刻として、広告枠順に対応するスクリーンにて広告コンテンツが提供される。また、「予測動員数」は、広告枠が設けられる映画の上映において予測される動員数を示す。予測動員数は、例えば、後述する算出部１３２が広告枠の新たな販売価格を算出する場合等に利用される。
【００４４】
すなわち、図４では、広告枠ＩＤ「Ｃ１１１」で識別される広告枠には、配信時間として「３０秒」が割り当てられていることを示す。また、広告枠Ｃ１１１は、映画館「ＴＨ１」におけるスクリーン「ＳＣ１」で上映される本編タイトル「Ｍ１」である映画に設けられている例を示す。このとき、広告枠Ｃ１１１に係る広告コンテンツは、「２０１４年５月１０日９時００分００秒」から「３０秒」間だけ配信されることを示す。そして、本編タイトルＭ１である映画の予測動員数は「３００人」であることを示す。また、広告枠Ｃ１１１に対応する「広告主ＩＤ」の欄が空欄であることから、広告枠Ｃ１１１で広告コンテンツを提供させる広告主が未だ決定されていないことを示す。
【００４５】
〔３−３（２）．本編テーブル〕
本編テーブル１２１ｂは、映画館で上映される映画本編に関する情報を記憶するテーブルである。ここで、図５に、実施形態に係る本編テーブル１２１ｂの一例を示す。図５は、実施形態に係る本編テーブル１２１ｂの一例を示す図である。図５に示した例では、本編テーブル１２１ｂは、「本編タイトル」、「ジャンル」、「制作国」、「客層」、「その他」といった項目を有する。
【００４６】
「本編タイトル」は、映画館で上映される映画のタイトルを示す。かかる項目は、図４に示した本編タイトルの項目と対応する。また、「ジャンル」は、映画の内容を示す。ジャンルの項目には、例えば、「アクション」や「ドラマ」などの映画の内容を示す情報が記憶される。
【００４７】
「制作国」は、映画が制作された国名を示す。また、「客層」は、かかる映画がメインターゲットとする客層を示す。客層の項目には、例えば、年齢や性別などの情報が記憶される。
【００４８】
「その他」は、上記項目以外の映画本編に関する情報を示す。その他に含まれる情報としては、例えば、映画の出演者や、映画の制作者や、映画の監督の名前や、映画の配給会社などの情報である。その他、映画の人気度を表す指標として、映画に関する検索クエリ数や、かかる映画の公式ホームページへのアクセス数などが適宜記憶されてもよい。
【００４９】
すなわち、図５では、本編タイトル「Ｍ１」で示される映画は、ジャンルが「アクション」であり、「アメリカ」で制作され、メインターゲットの客層は「１０〜３０歳代、男性」である例を示す。また、本編テーブル１２１ｂには、その他の情報として、本編タイトルＭ１である映画の出演者の名前「ａａａ」や、制作者の名前「ｂｂｂ」や、監督の名前「ｃｃｃ」や、配給会社の名称「ｄｄｄ」などの情報が適宜記憶されていることを示す。
【００５０】
〔３−４．広告主情報記憶部〕
広告主情報記憶部１２２は、広告主に関する情報を記憶する。具体的には、実施形態に係る広告主情報記憶部１２２は、広告装置１００が提供する販売サービスにおいて入札を行った広告主に関する情報を入札額と対応付けて記憶する。ここで、図６に、実施形態に係る広告主情報記憶部１２２の一例を示す。図６は、実施形態に係る広告主情報記憶部１２２の一例を示す図である。図６に示した例では、広告主情報記憶部１２２は、「広告主ＩＤ」、「入札額」、「広告コンテンツＩＤ」といった項目を有する。
【００５１】
「広告主ＩＤ」は、広告主又は広告主端末１０を識別するための識別情報を示す。かかる項目は、図４に示した広告主ＩＤの項目と対応する。また、「入札額」は、広告主が入札した価格を示す。図６の例では、入札額の単位は円とする。なお、図６に図示することは省略しているが、入札額の項目には、入札に係る広告枠に関する情報が含まれてもよい。例えば、入札額の項目には、入札に係る広告枠を識別する情報である広告枠ＩＤが含まれる。
【００５２】
「広告コンテンツＩＤ」は、広告主が映画館で提供を所望する広告コンテンツを識別するための識別情報を示す。ここで、実際に映画館に配信される広告コンテンツは、広告装置１００の広告主情報記憶部１２２に記憶されてもよいし、広告装置１００とは別に備えられた広告コンテンツを記憶するストレージサーバに記憶されてもよい。この場合、広告装置１００は、広告主情報記憶部１２２に記憶された広告コンテンツＩＤに基づいて、外部のストレージサーバに記憶された広告コンテンツを特定する。そして、広告装置１００は、ストレージサーバに対して、特定された広告コンテンツを映画館に対して配信するよう制御する。また、広告主は、広告枠の入札額を提示する時点では、広告コンテンツを入稿することを要しない。例えば、広告主は、広告枠を落札したことが決定した後に広告コンテンツを入稿してもよい。
【００５３】
すなわち、図６では、広告主ＩＤ「ＣＬ１１」によって識別される広告主が、入札額「１２０円」を提示して広告装置１００の提供する販売サービスに入札したことを示す。また、広告主ＣＬ１１は、映画館で提供させる広告コンテンツとして、広告コンテンツＩＤ「Ａ１１」で識別される広告コンテンツを入稿していることを示す。
【００５４】
また、広告主が同時に複数の広告枠について入札を行う場合には、広告主情報記憶部１２２には、広告主が入札を行った対象となる広告枠ＩＤ等を適宜記憶されてよい。この場合、広告主情報記憶部１２２には、「入札対象の広告枠」のような項目が設けられてもよい。
【００５５】
〔３−５．制御部〕
図３に戻って、制御部１３０について説明する。制御部１３０は、例えば、ＣＰＵ（Central  Processing  Unit）やＭＰＵ（Micro  Processing  Unit）等によって、広告装置１００内部の記憶装置に記憶されている各種プログラム（配信プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００５６】
図３に示すように、制御部１３０は、取得部１３１と、算出部１３２と、提供部１３３と、受付部１３４と、決定部１３５と、配信部１３６と、通知部１３７とを有し、以下に説明する情報処理の機能や作用を実現または実行する。なお、制御部１３０の内部構成は、図３に示した構成に限られず、後述する情報処理を行う構成であれば他の構成であってもよい。また、制御部１３０が有する各処理部の接続関係は、図３に示した接続関係に限られず、他の接続関係であってもよい。
【００５７】
〔３−５（１）．取得部〕
取得部１３１は、映画とともに広告コンテンツを提供する映画館で広告コンテンツが提供される広告枠に関する権利の販売に関する販売情報を取得する。具体的には、実施形態に係る取得部１３１は、映画館からの広告配信に関するリクエストに応じて、広告枠に関する販売情報として、売れ残り広告枠に関する情報や、他の広告枠の販売状況を取得する。そして、取得部１３１は、かかる情報を映画館情報記憶部１２１内の対応するテーブルに記憶させる。
【００５８】
また、取得部１３１は、広告枠に関する情報として、広告枠の販売状況に関する情報のみならず、映画館で提供される映画の題名である本編タイトルや、映画が上映される上映場所であるスクリーンや、映画が上映される日程、及び、所定期間における映画の上映回数や、映画館において提供される映画の傾向又はジャンルや、映画の制作者や、映画の出演者や、映画が制作された国名など、コンテンツとしての映画の情報及び編成に係る情報を取得する。
【００５９】
また、取得部１３１は、広告枠に関する情報として、映画館が所在する地域や、映画館の収容可能な観客収容数や、映画館が備えるスクリーン数や、スクリーン毎の座席数や、映画館において予測される動員数や、映画館を運営する運営会社や、映画館において映画を同時に提供可能な数（すなわち、スクリーンの合計数）など、施設としての映画館の情報を取得する。
【００６０】
また、取得部１３１は、広告枠に関する情報として、映画館における映画の上映日程の変更などの情報を映画館装置２０から速やかに取得する。この場合、取得部１３１は、かかる変更に基づいて映画館情報記憶部１２１に記憶された情報を更新する。
【００６１】
なお、取得部１３１は、映画の人気度の指標に関する情報を取得してもよい。具体的には、取得部１３１は、検索サービスを提供するウェブサーバから映画に関する検索クエリの数を取得する。すなわち、取得部１３１は、検索サービスを提供するウェブサーバにアクセスすることで、映画タイトルそのものや、映画に関係する制作者、出演者などの名称について検索クエリの数を取得する。なお、取得部１３１は、検索サービスを提供するウェブサーバに限られず、ネットワークＮ上の所定のウェブサーバから映画の人気度の指標に関する情報を取得してもよい。例えば、取得部１３１は、所定の映画の公式ホームページへのアクセス数などの情報を取得する。
【００６２】
また、取得部１３１は、広告枠に関する情報として、映画館における実績に関する情報を取得してもよい。すなわち、取得部１３１は、広告枠で広告コンテンツが提供された場合、映画館の実際の観客の人数である動員数に関する情報を映画館（例えば、映画館装置２０）から取得する。取得部１３１は、取得した実際の動員数に関する情報を、映画館情報記憶部１２１内に適宜記憶する。
【００６３】
なお、映画館（例えば、映画館装置２０）は、チケットを販売する販売端末から得られる情報に基づいて、動員数を求めることができる。ただし、この例に限られず、映画館には、例えば、映画館に実際に来場した観客の情報を取得するための観客情報取得装置が設けられる。この観客情報取得装置は、例えば、カメラ、アクセスポイントなどの少なくとも一つ以上の機器に該当する。観客情報取得装置にカメラが含まれる場合には、このカメラは、例えば、映画館内を撮像する。これにより、映画館装置２０は、観客情報取得装置により撮像された画像から動員数を求めることができる。また、観客情報取得装置にアクセスポイントが含まれる場合には、このアクセスポイントは、Ｗｉｆｉ（Wireless  Fidelity）（登録商標）などの無線通信により、個々の観客が保持する携帯端末と通信する。これにより、映画館装置２０は、観客情報取得装置と通信された携帯端末の台数を計数することで動員数を求めることができる。
【００６４】
〔３−５（２）．算出部〕
算出部１３２は、取得部１３１によって取得された販売情報に基づいて、購入者が決定されていない広告枠に関する権利の新たな販売価格に関する情報を算出する。具体的には、実施形態に係る算出部１３２は、購入者が決定している広告枠に関する権利の販売価格に基づいて、広告枠に関する権利の新たな販売価格を算出する。
【００６５】
上述のように、算出部１３２は、広告枠に関する権利の新たな販売価格として、広告枠に関する権利の最低販売価格を算出する。また、算出部１３２は、広告枠に関する権利の新たな販売価格として、映画館における所定の動員数毎に定められる単価である動員単価を算出する。
【００６６】
また、算出部１３２は、購入者が決定している広告枠に関する権利の販売価格のみならず、取得部１３１によって取得される販売情報である予測動員数に基づいて、広告枠の新たな販売価格を算出することもできる。ここで、算出部１３２は、映画館から取得した広告枠に関する情報に予測動員数が含まれていない場合、広告枠における動員数を予測する。そして、算出部１３２は、予測した動員数に基づいて、売れ残り広告枠の新たな販売価格を算出する。
【００６７】
以下に、算出部１３２による動員数の予測処理、及び、予測動員数に基づいた売れ残り広告枠の新たな販売価格の算出処理について説明する。算出部１３２は、取得部１３１が取得する種々の情報を指標として、広告枠における動員数を予測する。例えば、算出部１３２は、映画館における過去の動員数や、映画館における動員数の動向や、算出の対象とする映画館以外の各映画館における動員数や、映画館で上映される予定の映画の傾向又はジャンル、映画の出演者、制作者、監督又は配給会社や、映画に関する検索クエリ数などの人気度及び人気度の推移などを用いて、広告枠における動員数を予測する。
【００６８】
例えば、算出部１３２は、検索クエリ数を用いて動員数を予測する場合には、検索クエリ数の累計数値を指標とする。一般に、予測対象とする映画の評価が高い場合や、かかる映画が映画賞を受賞した場合は、かかる映画に関する検索クエリ数も増加することが想定される。この場合、算出部１３２は、検索クエリ数に基づいて、より多くの動員が見込めるものとして予測動員数の数値を大きく予測する。
【００６９】
また、算出部１３２は、検索クエリ数の累計を指標とするのみならず、検索クエリ数の上昇率についても予測処理の指標とすることができる。すなわち、算出部１３２は、検索クエリ数の変化を捉えることによって映画の人気度の推移についても考慮された動員数を予測する。すなわち、算出部１３２は、映画の人気の変動を捉えて動員数の予測に反映することができる。
【００７０】
なお、算出部１３２は、映画の人気度を表す指標として検索クエリ数を利用することに限られず、ＳＮＳ（Social  Networking  Service）サービスでの映画に関する投稿数や、映画の公式ホームページへのアクセス数などを利用してもよい。同様に、算出部１３２は、かかるアクセス数や投稿数の所定期間における上昇率による映画の人気度の推移についても予測動員数の指標としてもよい。
【００７１】
そして、算出部１３２は、予測した動員数に関する情報を映画館情報記憶部１２１内の広告枠テーブル１２１ａに記憶させる。また、算出部１３２は、映画館情報記憶部１２１内に記憶した予測動員数と実際の動員数とを比較し精度を検証することもできる。この検証処理を繰り返すことにより、算出部１３２は、過去に行った予測処理における誤差を含めた回帰的な予測処理を行うことができるようになるため、より高精度に動員数を予測することが可能となる。
【００７２】
そして、算出部１３２は、予測動員数に基づいて、売れ残り広告枠に関する権利の新たな販売価格を算出する。図１を例として説明すると、算出部１３２は、売れ残り広告枠Ｃ１１１における動員数を「３００人」と予測する。また、広告枠Ｃ１１１には、映画館が所望する最低の広告収益の額として、最低販売価格「３００００円」が設定されていたとする。この場合、広告装置１００は、予測動員数「３００人」と、最低販売価格「３００００円」に基づいて、売れ残り広告枠Ｃ１１１の新たな販売価格である動員単価「１００円」を算出する。
【００７３】
また、算出部１３２は、複数の売れ残り広告枠がある場合には、複数の売れ残り広告枠について個別に新たな販売価格を算出してもよいし、複数の売れ残り広告枠について均一な販売価格を算出してもよい。例えば、算出部１３２は、複数の売れ残り広告枠について個別に算出した販売価格の平均価格を新たな販売価格として算出してもよい。
【００７４】
また、算出部１３２は、購入者が決定されていない広告枠に関する権利の新たな販売価格に関する情報として、かかる権利の販売価格を任意の値として算出してもよい。この場合、後述する提供部１３３は、提供する販売サービスにおいて、最低販売価格を提示せずに、かかる権利の販売サービスを提供することができる。そして、広告主は、所望する価格を自由に提示して購入要求を行うことができる。
【００７５】
〔３−５（３）．提供部〕
提供部１３３は、取得部１３１によって取得された広告枠に関する情報を提示し、広告枠に関する権利の販売サービスを提供する。具体的には、実施形態に係る提供部１３３は、広告枠の新たな販売価格として最低販売価格を提示した上で、映画館で広告コンテンツを提供させる権利の販売サービスを広告主に提供する。
【００７６】
例えば、提供部１３３は、算出部１３２が算出する新たな販売価格の情報を提示して、かかる権利の購入要求を受け付けるウェブページＷ１０を広告主端末１０に提供する。なお、提供部１３３は、ウェブページＷ１０を介して、広告枠に係る映画館が所在する地域や、映画館で映画が上映される日程、映画館に収容可能な収容数、映画館において予測される動員数、映画館において上映される映画の傾向又はジャンル、映画館を運営する運営会社、及び、映画館において映画を同時に提供可能な数の少なくとも１つを提示する。すなわち、提供部１３３は、広告主が所望する広告枠に関する情報を提供する。
【００７７】
また、提供部１３３は、ウェブページＷ１０を介して、広告コンテンツの提供とともに上映される映画のタイトルや、映画館の所在地域などについて広告主が指定可能な販売サービスを提供してもよい。この場合、広告主は、ウェブページＷ１０において、入札額の入力だけではなく、かかる指定についても入力できるものとする。具体的には、提供部１３３は、広告主が映画のタイトル「Ｍ１」を指定した場合、映画「Ｍ１」を上映している映画館の売れ残り広告枠を一括で表示する。また、提供部１３３は、広告主が映画館の所在地域として「東京」を指定した場合には、「東京」に所在する映画館の売れ残り広告枠を一括で表示する。このように、提供部１３３は、広告主が指定する条件に合致する広告枠を検索し、表示することができる販売サービスを提供する。なお、指定する条件は組み合わされてもよい。
【００７８】
また、提供部１３３は、映画館で映画が初めて上映される前に販売サービスを提供するだけでなく、映画館で映画が初めて上映された後にも販売サービスを提供してもよい。一般的に、映画館で映画が初めて上映される前に、広告枠がすべて広告主に購入されるとは限らない。この場合、提供部１３３は、映画館で映画が初めて上映された後であっても販売サービスを提供してもよい。
【００７９】
〔３−５（４）．受付部〕
受付部１３４は、広告枠に関する権利の販売サービスにおいて、広告枠に関する権利の購入希望者から広告枠に関する権利の購入要求を受け付ける。具体的には、実施形態に係る受付部１３４は、提供部１３３が広告主に提供するウェブページＷ１０を介して、広告枠の購入希望者である広告主から入札額の提示を受けることにより、広告主からの購入要求を受け付ける。この場合、受付部１３４は、複数の売れ残り広告枠について、広告主からの購入要求を一括で受け付けてもよい。例えば、広告主がウェブページＷ１０において広告枠の条件を指定し、条件に合致した複数の売れ残り広告枠が表示されている場合には、受付部１３４は、条件に合致した複数の売れ残り広告枠に対する購入要求を一括で受け付けることができる。具体的には、受付部１３４は、広告主が映画のタイトル「Ｍ１」を指定した場合、映画「Ｍ１」を上映している映画館の売れ残り広告枠に関する購入要求を
一括で受け付ける。また、受付部１３４は、広告主が映画館の所在地域として「東京」を指定した場合、「東京」に所在する映画館の売れ残り広告枠に関する購入要求を一括で受け付ける。なお、条件は組み合わされてもよい。すなわち、受付部１３４は、映画「Ｍ１」を上映する映画館であって、かつ「東京」に所在する映画館の売れ残り広告枠に関する購入要求を一括で受け付けることもできる。
【００８０】
また、受付部１３４は、算出部１３２によって算出された新たな販売価格以上の価格を含む購入要求を受け付ける。すなわち、受付部１３４は、算出部１３２によって算出された最低販売価格以上の金額の入力のみを広告主から受け付ける。なお、前述のように、算出部１３２によって広告枠の新たな販売価格として任意の値が算出される場合には、受付部１３４は、広告主が所望する任意の価格の提示とともに購入要求を受け付けてもよい。
【００８１】
そして、受付部１３４は、購入要求を受け付けた広告主端末１０に係る広告主ＩＤを広告主情報記憶部１２２に記憶させる。また、受付部１３４は、受け付けた購入要求に係る広告主からの指定や、広告主から入稿される広告コンテンツＩＤや宣伝内容について受け付けてもよい。受付部１３４は、かかる情報を広告主情報記憶部１２２に記憶させる。なお、受付部１３４は、実際に映画館で配信する広告コンテンツのデータに関しては、後述する決定部１３５が広告枠を購入する広告主を決定した後で、かかる広告主から受け付けてもよい。
【００８２】
〔３−５（５）．決定部〕
決定部１３５は、受付部１３４によって受け付けられた購入要求のうち、所定の条件を満たす購入要求を行った購入希望者を広告枠に関する権利の購入者として決定する。具体的には、実施形態に係る決定部１３５は、購入希望者である広告主のうち最も高い価格を含む購入要求の送信元である広告主を広告枠に関する権利の購入者として決定する。言い換えれば、決定部１３５は、提供部１３３が提供する販売サービスにおいて、最も高い入札額を提示して購入要求を行った広告主を広告枠の購入者として決定する。
【００８３】
なお、決定部１３５は、入札額のみならず、広告主及び販売される広告枠に関する情報を用いて広告枠の購入者を決定してもよい。例えば、決定部１３５は、売れ残り広告枠の購入を希望する広告主とかかる広告枠の前後の広告枠を購入している広告主との関係について、広告主情報記憶部１２２に記憶された情報を参照する。そして、決定部１３５は、所定の複数の広告主に係る広告コンテンツを同時に提供してはならない場合（例えば、広告主が同業者同士であり、競合関係にある場合など）には、かかる関係を参照し、売れ残り広告枠を購入する広告主を決定する。
【００８４】
また、決定部１３５は、広告枠が設けられる映画の内容や、映画館の利用者の属性に基づいて広告主を決定してもよい。すなわち、決定部１３５は、広告枠が設けられる映画の内容や客層と、広告枠を購入する広告主又はかかる広告主が入稿する広告コンテンツとが適合するか否かを判定して、広告枠を購入する広告主を決定してもよい。また、決定部１３５は、売れ残り広告枠の前後の枠において提供される広告コンテンツの内容に基づいて、広告枠を購入する広告主を決定してもよい。その他にも、決定部１３５は、例えば、映画館が所在する地域や座席数など施設としての映画館の情報に基づいて購入に適する広告主を決定してもよい。
【００８５】
〔３−５（６）．配信部〕
配信部１３６は、映画館で提供される広告コンテンツを映画館に配信する。具体的には、実施形態に係る配信部１３６は、取得部１３１によって取得された広告枠の販売状況に関する情報に基づいて、決定部１３５によって決定された広告主に係る広告コンテンツを映画館に配信する。
【００８６】
〔３−５（７）．通知部〕
通知部１３７は、取得部１３１の取得する映画館で広告コンテンツを視聴した人数に関する情報を広告主に通知する。具体的には、実施形態に係る通知部１３７は、広告コンテンツが提供された広告枠に係る実際の動員数についての結果を広告コンテンツに係る広告主に通知する。
【００８７】
また、通知部１３７は、映画館での広告コンテンツの提供への対価の額を広告主に通知する。すなわち、通知部１３７は、広告主が売れ残り広告枠に係る権利を落札した動員単価と実際の動員数とを乗算する。そして、通知部１３７は、算出される金額を広告提供に関する課金額として、広告枠の購入者である広告主に通知する。
【００８８】
〔４．算出処理手順〕
次に、図７を用いて、実施形態に係る広告装置１００による算出処理の手順について説明する。図７は、実施形態に係る広告装置１００による算出処理の手順を示すフローチャートである。
【００８９】
図７に示すように、取得部１３１は、映画館から広告配信に関するリクエストを受信したか否かを判定する（ステップＳ１０１）。そして、取得部１３１は、映画館からリクエストを受信しない場合には、受信するまで待機する（ステップＳ１０１；Ｎｏ）。映画館からリクエストを受信した場合（ステップＳ１０１；Ｙｅｓ）、取得部１３１は、映画館から広告枠に関する情報を取得する（ステップＳ１０２）。
【００９０】
続いて、算出部１３２は、広告枠に関する販売額を算出する（ステップＳ１０３）。すなわち、算出部１３２は、売れ残り広告枠に関する新たな販売価格を算出する。そして、提供部１３３は、新たな販売価格を提示して、広告枠に関する販売サービスを提供する（ステップＳ１０４）。
【００９１】
そして、受付部１３４は、かかる販売サービスにおいて、広告主から入札額の提示を受け付ける（ステップＳ１０５）。そして、決定部１３５は、売れ残り広告枠を落札する広告主を決定する（ステップＳ１０６）。この場合、受付部１３４は、落札した広告主から、実際に映画館で提供させる広告コンテンツの入稿を受け付ける（ステップＳ１０７）。
【００９２】
そして、配信部１３６は、入稿された広告コンテンツを映画館に配信する（ステップＳ１０８）。映画館で広告コンテンツが観客に提供された後、取得部１３１は、実際の動員数の情報を映画館から取得する（ステップＳ１０９）。そして、通知部１３７は、実際の動員数に基づいて算出される課金額を広告主に通知する（ステップＳ１１０）。以上により、実施形態に係る広告装置１００による算出処理は終了する。
【００９３】
〔５．変形例〕
上述した広告装置１００は、上記実施形態以外にも種々の異なる形態にて実施されてよい。そこで、以下では、広告装置１００の他の実施形態について説明する。
【００９４】
〔５−１．販売価格〕
例えば、算出部１３２は、動員単価ではなく、広告枠自体の販売価格を算出してもよい。そして、提供部１３３は、算出された広告枠自体の最低販売価格を提示して販売サービスを提供してもよい。この点について、図８を用いて説明する。図８は、変形例に係る算出処理の一例を示す図である。
【００９５】
図８において、算出部１３２は、広告枠の販売価格として動員単価ではなく、広告枠自体の販売価格を算出する（ステップＳ２１）。すなわち、算出部１３２は、広告枠に関する情報に基づいて、売れ残り広告枠の最低販売価格を算出する。例えば、算出部１３２は、売れ残り広告枠の前後の広告枠が動員単価で販売されていた場合には、前後の広告枠に設定された動員単価と予測動員数とを乗算した額に基づいて、売れ残り広告枠の販売額を算出する。算出部１３２は、例えば、前後の広告枠に設定された動員単価と予測動員数とを乗算した額の所定の割合の金額を売れ残り広告枠の販売価格として算出する。あるいは、映画館側から最低販売価格の要望がある場合には、算出部１３２は、かかる要望された最低販売価格を売れ残り広告枠の販売価格として算出してもよい。あるいは、算出部１３２は、過去の広告枠の販売価格の実績に基づいて、売れ残り広告枠の販売価格を算出してもよい。
【００９６】
そして、提供部１３３は、算出部１３２によって算出された売れ残り広告枠の最低販売価格を提示して、かかる広告枠の販売サービスを提供する（ステップＳ２２）。例えば、提供部１３３は、広告枠に関する情報を記載したウェブページＷ２０を広告主端末１０に表示させる態様により、かかる販売サービスを提供する。ウェブページＷ２０には、広告枠の最低販売価格である最低入札額が記載される。
【００９７】
そして、受付部１３４は、ウェブページＷ２０を介して、広告主から入札額の提示されることにより、広告主からの入札を受け付ける（ステップＳ２３）。この場合、広告主は、動員単価ではなく広告枠自体の購入希望金額である入札額をウェブページＷ２０に入力することにより、広告枠の購入要求を行う。
【００９８】
このように、変形例に係る算出部１３２は、動員単価ではなく広告枠自体の販売価格を算出する。そして、変形例に係る提供部１３３は、広告枠自体の販売価格を提示して、広告枠の販売サービスを提供する。
【００９９】
これにより、変形例に係る広告装置１００は、実際の動員数に依らない販売価格によって売れ残り広告枠の販売サービスを広告主に提供することができる。この場合、広告主は、映画館での動員数に依らず、映画館での広告コンテンツの提供の対価として固定された販売額を支払えばよい。このため、変形例に係る広告装置１００は、広告コンテンツの提供について予測以上の課金額を要求されないという安心感を広告主に抱かせることができる。したがって、変形例に係る広告装置１００は、広告枠の販売を促進させることができる。
【０１００】
〔５−２．販売期間〕
上記の実施形態では、算出部１３２が、売れ残り広告枠の新たな販売価格を算出し、提供部１３３が、新たな販売価格を提示した上で、売れ残り広告枠の販売サービスを提供する例を示した。しかし、上記例に限られず、算出部１３２は、売れ残り広告枠について、さらに新たな販売価格を算出してもよい。
【０１０１】
すなわち、算出部１３２は、広告枠に関する権利の販売期間に応じて広告枠に関する権利の新たな販売価格を算出する。具体的には、算出部１３２は、提供部１３３の提供する販売サービスで販売されている売れ残り広告枠であって、所定の期間において販売されている売れ残り広告枠に関しては、さらに新たな販売価格を算出する。例えば、算出部１３２は、元の販売価格からさらに所定の割引を行った価格を新たな販売価格として算出する。
【０１０２】
このように、算出部１３２は、販売期間に応じてかかる権利の販売価格を算出する。このため、広告装置１００は、提供する販売サービスにおいて、購入者が決定されない広告枠を少なくすることができる。これにより、広告装置１００は、映画館側にとっては広告コンテンツの提供による収益を確実に得られるようにすることができる。また、広告装置１００は、さらに割り引いた販売価格を算出するので、映画館で広告コンテンツを提供させたい広告主側にとって有益な販売サービスを提供することができる。
【０１０３】
〔５−３．広告配信〕
上記の実施形態では、配信部１３６が、広告主情報記憶部１２２に記憶された広告コンテンツを映画館装置２０に配信する例を示した。しかし、上記例に限られず、広告装置１００は、配信に係る処理について、外部の装置を利用して行ってもよい。この点について、図９を用いて以下に説明する。
【０１０４】
図９は、変形例に係る算出処理システム１の構成例を示す図である。図９に例示するように、変形例に係る算出処理システム１には、広告主端末１０と、映画館装置２０と、広告装置１００との他に、広告配信装置４０を有する。
【０１０５】
広告配信装置４０は、広告装置１００の制御に従い、映画館装置２０に広告コンテンツを配信する情報処理装置である。この場合、広告配信装置４０は、広告主端末１０から広告コンテンツの入稿を受け付けたり、広告コンテンツを記憶したりする。
【０１０６】
そして、広告装置１００は、広告主情報記憶部１２２に記憶された広告コンテンツＩＤに基づいて、広告配信装置４０に記憶された広告コンテンツを特定する。そして、広告装置１００は、広告配信装置４０に対して、特定された広告コンテンツを映画館装置２０に対して送信するよう制御する。この場合、広告装置１００は、配信部１３６を有しなくてもよい。
【０１０７】
〔５−４．管理装置〕
また、上記の実施形態では、取得部１３１は、映画館装置２０から広告枠に関する情報を取得する例を示した。また、配信部１３６は、映画館装置２０に広告コンテンツを配信する例を示した。しかし、例えば、広告装置１００が複数の映画館に対して広告配信に関する処理をする場合、それぞれの映画館と個別に処理を行うことは負担が大きい。そこで、広告装置１００は、映画館装置２０とではなく、例えば、複数の映画館を管理する映画館管理装置５０に対して、同様の処理を行うことができる。この点について図１０を用いて説明する。なお、以下では、複数の映画館装置について、映画館装置２０１、２０２及び２０３として表記する。
【０１０８】
図１０は、変形例に係る算出処理システム１の構成例を示す図である。なお、図２と対応する構成については、説明を省略する。図１０に示すように、算出処理システム１には、映画館管理装置５０と、映画館管理装置５０が管理する映画館装置２０１、２０２及び２０３が含まれる。なお、図示は省略するが、映画館管理装置５０は、さらに多くの映画館装置２０ｎ（ｎは任意の数）を管理していてもよい。
【０１０９】
図１０に示した例では、広告装置１００は、上述した実施形態に係る算出処理において映画館装置２０１に対して行う手続きを映画館管理装置５０に対して行う。広告装置１００は、例えば、映画館装置２０１を備える映画館の広告枠に関する情報を映画館管理装置５０から取得する。なお、映画館管理装置５０は、かかる情報について予め映画館装置２０１から提供を受けているものとする。このように、広告装置１００は、一連の処理を映画館管理装置５０に対して行うことによっても、上述した実施形態と同様に、広告コンテンツの算出処理をすることができる。
【０１１０】
この場合、実施形態に係る処理に比べ、広告装置１００による処理を簡略化できる場合がある。具体的には、上述した実施形態に係る処理において、広告装置１００が複数の映画館における広告枠に関する情報を取得するためには、複数の映画館装置２０１、２０２及び２０３からそれぞれ情報を取得する必要がある。また、広告装置１００は、それぞれ対応する複数の映画館装置２０１、２０２及び２０３に広告コンテンツを配信する必要がある。
【０１１１】
一方、上記変形例に係る算出処理において、広告装置１００は、映画館管理装置５０との間で処理を行うことにより、複数の映画館装置２０１、２０２及び２０３に対して処理を行うことと同様の結果を得る。すなわち、実施形態に係る各処理に比べ、変形例に係る広告装置１００は、一連の処理手順を減らすことができるため、各処理を簡略化できる。
【０１１２】
なお、映画館管理装置５０は、例えば、施設である映画館側（配給会社など）によって管理される。この場合、「施設」や「映画館」といった表記は、このような映画館管理装置５０を含む概念であるものとする。
【０１１３】
〔５−５．広告枠の態様〕
また、上記の実施形態では、広告枠が単位時間あたりに分割され、数量によって表される例を示した。しかし、広告枠は、時間で表されてもよい。例えば、広告枠は「５分間」などの態様で設けられてもよい。この場合、広告装置１００は、広告枠の時間を適宜分割して取り扱うことができる。また、広告装置１００は、映画館から広告枠の順番に係る情報を受け付けてもよい。この場合、広告装置１００は、コンテンツが提供される順番についても調整して、売れ残り広告枠を購入する広告主を決定することができる。
【０１１４】
〔５−６．広告枠の状況〕
また、上記の実施形態では、映画館は、所定の時点で広告枠が売れ残った場合、すなわち売れ残り広告枠がある場合に広告装置１００にリクエストを送信し、広告装置１００は売れ残り広告枠について新たな販売価格を算出する例を示した。しかし、映画館は、所定の時点の前にリクエストを送信してもよい。すなわち、広告装置１００は、売れ残り広告枠のみの新たな販売価格を算出することに限られず、映画館に設けられる広告枠の販売価格を算出してもよい。
【０１１５】
〔５−７．広告枠の位置〕
また、上記の実施形態では、広告枠が映画の本編前に組み込まれる例を示した。言い換えれば、上記の実施形態では、広告コンテンツが映画の本編前に提供される例を示した。しかし、広告コンテンツが提供されるタイミングは上記例に限られない。すなわち、広告コンテンツが映画とともに提供されるとは、映画の本編中に上映されてもよいし、映画の本編後に上映されてもよいことを意味する。また、広告コンテンツには、本編である映画にオーバーレイのように重ねて提供されるようなものも含まれるものとする。
【０１１６】
〔５−８．コンテンツの例〕
また、上記の実施形態では、施設で提供される第１コンテンツとして映画を、第１コンテンツとともに提供される第２コンテンツが広告コンテンツである例を示した。しかし、この例に限られず、各コンテンツは様々な態様があってもよい。例えば、第１コンテンツとしては、演劇、コンサートなど、観客を動員して行われる様々な催事が含まれてもよい。また、第２コンテンツとしては、個人クリエイタによって制作されたショートフィルムなどが含まれてもよい。
【０１１７】
〔６．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１１８】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１１９】
例えば、図３に示した映画館情報記憶部１２１や広告主情報記憶部１２２が記憶する情報は、広告装置１００が保持せずに、図示しないストレージサーバ等が保持してもよい。この場合、広告装置１００は、ストレージサーバ等に記憶されている情報を適宜取得するものとする。
【０１２０】
また、上記実施形態においては、映画館は動員数を取得するため観客情報取得装置を備える例を示した。しかし、映画館は、さらに別の装置を備えてもよい。例えば、映画館は、映画館で広告が上映されたことを示す情報を取得する装置を備える。具体的には、映画館には、実際に映画館で広告が流れている音声を集音する集音装置が設けられる。広告装置１００は、例えば、映画館装置２０から、かかる集音された音声データを受け付け、広告主に情報として提示することができる。これにより、広告装置１００は、実際に映画館で広告が上映されたか確認したいという広告主の要望に応えることができる。
【０１２１】
また、上記実施形態においては、第１コンテンツを提供する施設として映画館を挙げ、当該施設の利用料としてチケット料金を例示した。しかし、第１コンテンツとしては、演劇、コンサートなど、観客を動員して行われる様々な催事が含まれてもよい。この場合、第１コンテンツを提供する施設としては、劇場や、演舞場や、屋外遊戯施設など、観客を収容できる、あるいは観客が入場することのできる種々の施設が該当する。
【０１２２】
また、上述してきた各実施形態は、処理内容を矛盾させない範囲で適宜組み合わせることが可能である。
【０１２３】
〔７．ハードウェア構成〕
また、上述してきた実施形態に係る広告装置１００は、例えば図１１に示すような構成のコンピュータ１０００によって実現される。以下、広告装置１００を例に挙げて説明する。図１１は、広告装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１２４】
ＣＰＵ１１００は、ＲＯＭ１３００又はＨＤＤ１４００に記憶されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を記憶する。
【０１２５】
ＨＤＤ１４００は、ＣＰＵ１１００によって実行されるプログラム、及び、かかるプログラムによって使用されるデータ等を記憶する。通信インターフェイス１５００は、通信網５００（図２に示したネットワークＮに対応する）を介して他の機器からデータを受信してＣＰＵ１１００へ送り、また、通信網５００を介してＣＰＵ１１００が生成したデータを他の機器へ送信する。
【０１２６】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して生成したデータを出力装置へ出力する。
【０１２７】
メディアインターフェイス１７００は、記録媒体１８００に記憶されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１２８】
例えば、コンピュータ１０００が実施形態に係る広告装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、映画館情報記憶部１２１や、広告主情報記憶部１２２内のデータが記憶される。コンピュータ１０００のＣＰＵ１１００は、これらのプログラムを記録媒体１８００から読み取って実行するが、他の例として、他の装置から通信網５００を介してこれらのプログラムを取得してもよい。
【０１２９】
〔８．効果〕
上述してきたように、実施形態に係る広告装置１００は、映画（第１コンテンツの一例）とともに広告コンテンツ（第２コンテンツの一例）を提供する映画館（施設の一例）で広告コンテンツが提供される広告枠に関する権利の販売に関する販売情報を取得する取得部１３１と、取得部１３１によって取得された販売情報に基づいて、購入者が決定されていない広告枠に関する権利の新たな販売価格に関する情報を算出する算出部１３２と、を備える。
【０１３０】
これにより、実施形態に係る広告装置１００は、映画館側が得るべき広告配信に関する対価を適切に算出することができる。このため、実施形態に係る広告装置１００は、広告枠の販売による適切な広告収益を映画館側にもたらすことができる。
【０１３１】
また、算出部１３２は、映画館における動員数の予測値である予測動員数に基づいて、広告枠に関する権利の新たな販売価格を算出する。
【０１３２】
このように、実施形態に係る広告装置１００は、予測動員数を指標として広告枠に関する権利の新たな販売価格を算出するので、適切な販売価格を算出することができる。このため、実施形態に係る広告装置１００によれば、映画館側は広告収益を予測し易くなる。
【０１３３】
また、実施形態に係る広告装置１００は、取得部１３１によって取得された広告枠に関する情報を提示し、広告枠に関する権利の販売サービスを提供する提供部１３３をさらに備える。
【０１３４】
これにより、実施形態に係る広告装置１００は、広告主側及び映画館側にとって有益となる売れ残り広告枠の販売サービスを提供することができる。すなわち、実施形態に係る広告装置１００によれば、映画館側は、個々の広告枠を広告主毎に販売するような手間を要さずに、映画館で広告コンテンツを提供させる権利を広告主に販売させることができる。また、実施形態に係る広告装置１００によれば、広告主は、個々の映画館から広告枠に関する販売情報や、入札情報の取得を要することなく、提示された集約された情報を参照して、映画館で広告コンテンツを提供させる権利を購入することができる。すなわち、実施形態に係る広告装置１００は、広告配信に関する作業を容易化し広告主の負担を軽減させることができる。
【０１３５】
また、提供部１３３は、算出部１３２によって算出された新たな販売価格を提示し、広告枠に関する権利の販売サービスを提供する。
【０１３６】
このように、実施形態に係る広告装置１００は、広告枠の販売に際しての情報を提示する。これにより、実施形態に係る広告装置１００は、広告枠の販売価格を広告主に周知させ、取引の安全性を担保できるので、広告枠の取引を促進させることができる。
【０１３７】
また、算出部１３２は、広告枠に関する権利の新たな販売価格として、広告枠に関する権利の最低販売価格を算出する。提供部１３３は、算出部１３２の算出する前記最低販売価格を提示して広告枠に関する権利の販売サービスを提供する。
【０１３８】
これにより、実施形態に係る広告装置１００は、広告枠が値崩れすることを防止することができる。このため、実施形態に係る広告装置１００によれば、映画館側は適切な広告収益を確保できる。
【０１３９】
また、算出部１３２は、購入者が決定している広告枠に関する権利の販売価格に基づいて、広告枠に関する権利の最低販売価格を算出する。
【０１４０】
これにより、実施形態に係る広告装置１００は、売れ残り広告枠以外の広告枠との価格差について考慮された販売価格を算出することができる。このため、実施形態に係る広告装置１００によれば、映画館側は、既に販売された広告枠の価格を参考に広告収益を予測することや、売れ残り広告枠が値崩れすることを防止することができる。
【０１４１】
算出部１３２は、広告枠に関する権利の新たな販売価格として、前記映画館における所定の動員数毎に定められる単価である動員単価を算出する。提供部１３３は、算出部１３２によって算出された動員単価を提示し、広告枠に関する権利の販売サービスを提供する。
【０１４２】
これにより、実施形態に係る広告装置１００は、実際に視聴する観客の数である動員数に基づいた販売価格を算出するので、広告効果に対応する販売価格を算出することができる。
【０１４３】
また、実施形態に係る広告装置１００は、広告枠に関する権利の販売サービスにおいて、広告枠に関する権利の購入希望者から広告枠に関する権利の購入要求を受け付ける受付部１３４と、受付部１３４によって受け付けられた購入要求のうち、所定の条件を満たす購入要求を行った購入希望者を広告枠に関する権利の購入者として決定する決定部１３５と、をさらに備える。
【０１４４】
これにより、実施形態に係る広告装置１００は、販売サービスにおいて、販売の対象となる広告枠で広告コンテンツを提供させるのに適した広告主を選出することができる。
【０１４５】
また、受付部１３４は、算出部１３２によって算出された新たな販売価格以上の価格を含む購入要求を受け付ける。決定部１３５は、購入希望者のうち最も高い価格を含む購入要求の送信元である購入希望者を広告枠に関する権利の購入者として決定する。
【０１４６】
これにより、実施形態に係る広告装置１００は、販売サービスにおける広告収益を上げることが期待できる。また、実施形態に係る広告装置１００は、最も高い価格を提示した広告主を広告枠の購入者とするので、取引の公平性を担保することができる。
【０１４７】
また、算出部１３２は、広告枠に関する権利の販売期間に応じて広告枠に関する権利の新たな販売価格を算出する。
【０１４８】
このように、実施形態に係る広告装置１００は、販売期間に応じて広告枠の価格を調整できるので、売れ残る広告枠を少なくすることができる。これにより、実施形態に係る広告装置１００によれば、映画館側は広告収益を確実に得られるようになる。また、広告主は、通常よりも安い価格で広告枠を購入することができる。
【０１４９】
また、提供部１３３は、広告枠に関する情報として、広告枠に係る映画館が所在する地域、映画館で映画が提供される日程、映画館に収容可能な収容数、映画館において予測される動員数、映画館において提供される映画の傾向又はジャンル、映画館を運営する運営会社、及び、映画館において映画を同時に提供可能な数の少なくとも１つを提示する。
【０１５０】
これにより、実施形態に係る広告装置１００は、広告主の詳細な要望に沿った広告枠の販売サービスを提供することができる。
【０１５１】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１５２】
また、上述してきた「部（section、module、unit）」は、「手段」や「回路」などに読み替えることができる。例えば、提供部は、提供手段や提供回路に読み替えることができる。
【符号の説明】
【０１５３】
１  算出処理システム
１０  広告主端末
２０  映画館装置
１００  広告装置
１３１  取得部
１３２  算出部
１３３  提供部
１３４  受付部
１３５  決定部
１３６  配信部
１３７  通知部
【図１】
0006038839.tif 000002
【図２】
0006038839.tif 000003
【図３】
0006038839.tif 000004
【図４】
0006038839.tif 000005
【図５】
0006038839.tif 000006
【図６】
0006038839.tif 000007
【図７】
0006038839.tif 000008
【図８】
0006038839.tif 000009
【図９】
0006038839.tif 000010
【図１０】
0006038839.tif 000011
【図１１】
0006038839.tif 000012